(57)【要約】      （修正有）【課題】床版と排水桝との付着力を改善し、床版と排水桝との間の隙間を塞ぐことのできる排水桝の提供。【解決手段】橋梁の床版に設けられる排水桝１０において、排水桝１０の外周面に、ポリマーセメントモルタル１５を塗布してあることで、この排水桝１０を用いた橋梁の施工を行った際に、床版と排水桝１０との付着力を向上させ、床版と排水桝１０との間に隙間ができることを防ぐことが可能となる。この結果、橋梁の床版や桁の劣化が進行することを防ぐことが可能となる。【選択図】図３
2018119299.tif 000002
【特許請求の範囲】
【請求項１】
橋梁の床版に設けられる排水桝において、
前記排水桝の外周面に、ポリマーセメントモルタルを塗布してあること、
を特徴とする排水桝。
【請求項２】
請求項１に記載の排水桝において、
前記排水桝の外周面は多数の凹凸が設けられ、その上に前記モルタルが塗布してあること、
を特徴とする排水桝。
【請求項３】
請求項１に記載の排水桝において、
前記排水桝の外周面に珪砂を吹きつけた後、
前記珪砂の上に前記モルタルを吹き付けること、
を特徴とする排水桝。
【発明の詳細な説明】
【技術分野】
【０００１】
本発明は、橋梁の床版や桁の劣化を防ぐ技術であり、床版に用いる排水桝と床版との付着力を改善する技術に関する。
【背景技術】
【０００２】
近年、道路の舗装面に塩化ナトリウムや塩化カルシウムを用いた凍結防止剤を散布する量が増える傾向にある。これは、スパイクタイヤの使用が禁止され、舗装面の凍結防止を確実に行う必要性がでてきて、それに伴って凍結防止剤が多く散布されるようになったためである。しかし、凍結防止剤を使用した場合には、舗装面の排水において塩分を含む水の排水を考慮する必要がでてくる。塩分は、金属を腐食させ、コンクリートを劣化させてしまう。そのため、橋梁の床版には橋梁上に降った雨水を排水するための排水桝が所定の間隔で複数埋設されている。塩分を含む水もこの排水桝から排水される事になるが、排水桝と床版の境界部に隙間が生じて水が浸入する様なことがあると、床版の劣化を促進する事になる。また、床版のみならず、床版を支える鋼桁やコンクリート桁なども内部に浸入した水によって劣化し、橋梁全体の耐久性の低下に繋がるおそれがある。
【０００３】
特許文献１には、雨水落下防止橋梁排水桝に関する技術が開示されている。雨水落下防止橋梁排水桝はゴムで一体成形され、桝本体は桝上部とその下に配置される排水筒の２つの部位よりなる。雨水落下防止橋梁排水桝は、橋梁の床版に貫通形成された排水桝取り付け孔に挿入された状態で、適宜固定手段で取り付けられるようになっている。そして、桝上部の外周面には全周にわたって雨水落下防止フランジが突設されている。この雨水落下防止フランジ部は防水層の上に設置され、防水層と舗装部とによって挟まれた状態で配置されている。
【先行技術文献】
【特許文献】
【０００４】
【特許文献１】特開２００３−３０１４１４号公報
【発明の概要】
【発明が解決しようとする課題】
【０００５】
しかしながら、特許文献１の手法であっても、床版コンクリートと排水桝の境界部に微細な隙間が生じることがあり、ここから塩分を含む水が床版に浸入し、床版や橋桁など橋梁全体の劣化を進行させるおそれがある。また、特許文献１のように排水桝にフランジが付いている場合には排水桝の施工性に問題が出ると考えられる。これはフランジ部が舗装面と防水層との間に挟まれた状態で配置される必要がある為、舗装前に排水桝を設置する必要があるからである。
【０００６】
そこで、排水桝の外周面とコンクリートとの境界部の付着力を高めることで、排水桝と床版との間の隙間を無くすことが好ましいが、通常、排水桝外周面へのコンクリートの付着力は必要と思われるほどの性能を発揮できないと考えられ、床版と排水桝との間に微細な隙間を生じるのは避けられない。排水桝の表面には無機ジンクリッチペイントなどが塗装されて付着力の強化に寄与しているが、こうした塗装を済ませた排水桝でもコンクリートとの付着力は高くない。
【０００７】
一方で、排水桝はＦＲＰ樹脂製のものを使う場合、無機ジンクリッチペイントの塗装が行えないために、そのままコンクリートを打ち込むか、こうしたジンク塗装ではなく表面に珪砂を吹き付けて付着力を強化するケースもある。しかし、こうした珪砂の吹き付けを行った排水桝に関しても、期待通りの付着力が得られていないのが現状である。よって、排水桝の外周面とコンクリートとの付着力の改善が望まれている。
【０００８】
そこで、本発明は床版と排水桝との付着力を改善し、床版と排水桝との間の隙間を塞ぐことのできる排水桝を提供することを目的とする。
【課題を解決するための手段】
【０００９】
前記目的を達成するために、本発明の一態様による排水桝は、以下のような特徴を有する。
【００１０】
（１）橋梁の床版に設けられる排水桝において、前記排水桝の外周面に、ポリマーセメントモルタルを塗布してあること、を特徴とする。
【００１１】
上記（１）に記載の態様により、排水桝の外周面と床版に用いられるコンクリートとの付着力が高められ、施工時に排水桝と床版の間に隙間ができることを防ぐことが可能となる。ポリマーセメントモルタルを排水桝の外周面に予め塗布した状態で、排水桝を床版の施工時に配置することで、排水桝と床版との付着力を向上させることが可能となる。この結果、排水桝と床版との間に隙間が生じるのを防ぎ、特に冬季に用いられる凍結防止剤を含む排水が入り込むことを防止し、床版に用いられるコンクリートや鉄筋、桁などの劣化を防ぐことが可能となる。
【００１２】
（２）（１）に記載の排水桝において、前記排水桝の外周面は多数の凹凸が設けられ、その上に前記モルタルが塗布してあること、が好ましい。
【００１３】
（３）（１）に記載の排水桝において、前記排水桝の外周面に珪砂を吹きつけた後、前記珪砂の上に前記モルタルを吹き付けること、が好ましい。
【００１４】
上記（２）又は（３）に記載の態様により、排水桝とモルタルとの付着力を高める事が可能となるので、より確実に排水桝と床版との間に隙間ができることを防ぐことができる。
【図面の簡単な説明】
【００１５】
【図１】（Ａ）第１実施形態の、排水桝が設置された部分の上面図である。（Ｂ）第１実施形態の、排水桝が設置された部分の正面からの断面図である。
【図２】第１実施形態の、橋梁に設置された排水桝の側面からの断面図である。
【図３】第１実施形態の、排水桝の斜視図である。
【発明を実施するための形態】
【００１６】
まず、本発明の第１の実施形態について図面を用いて説明を行う。図１（Ａ）に、第１実施形態の排水桝１０が設置された部分の上面図を示す。図１（Ｂ）に橋梁１００において排水桝１０が設置された部分の正面からの断面図を示す。図２に、橋梁１００において排水桝１０が設置された部分の側面からの断面図を示す。排水桝１０は四角枠部１１とテーパ部１２と筒状部１３の３つの部分よりなる。なお排水桝１０は、通常はＦＣ２５０等を材質にした鋳物が主流で、こうした排水桝は無機ジンクリッチペイントを用いて防錆処理をしている。この他に鋼材に亜鉛メッキをした排水桝や、ＦＲＰ製の排水桝を用いる場合もある。本実施形態では排水桝１０は鋼材を用いているものとして説明を行う。四角枠部１１は、グレーチングなどが収まるように設計された矩形の枠であり、四角枠部１１の下部から筒状部１３に接続する部分がテーパ部１２である。
【００１７】
橋梁１００は、床版５０と壁高欄３０を有し、排水桝１０は壁高欄３０の下部に備えられる地覆部３１付近、つまり橋梁１００の両脇に所定の間隔で設けられる。なお、排水桝１０を設置する間隔は、橋梁区間に対する降雨量と排水処理能力を参考に決定される。一般的には横断勾配の低くなる橋の幅方向の両端部に設置される事が多い。床版５０は、表層４１と基層４２で構成される舗装部４０で覆われている。この表層４１の表面を流れる雨水を排水桝１０に集め、筒状部１３を通して図示しない配水管に流す。なお、床版５０と舗装部４０との間には床版防水層４３が設けられている。床版防水層４３はシート系や塗膜系のものが用いられるが何れにしても床版５０に対してプライマーなどを用いて接着され、高い付着力を有している状態になっている。排水桝１０と基層４２の間には導水帯４４が設けられている。また、排水桝１０には排水性を高める目的で導水パイプ２１が設けられている。
【００１８】
図３に、排水桝１０の斜視図を示す。排水桝１０の外周面は、ポリマーセメントモルタル１５にて被覆されている。ポリマーセメントモルタル１５は、速硬性ポリマーセメントモルタルを用いるのが好ましく、例えば太平洋マテリアル社製の「ゴムラテックスモルタル」を用いる事が好ましい。ポリマーセメントモルタル１５の厚みは概ね５ｍｍから１０ｍｍ程度とし、均一な膜圧で層が形成されるのが好ましい。なお、排水桝１０の外周面を被覆するのはポリマーセメントモルタル１５に限定されることなく、排水桝１０を構成する金属とセメントとの付着力を高める機能を有するものであれば、代替可能である。
【００１９】
この際に、排水桝１０の外周面を、サンドブラストなどを用いてある程度目粗しを行い、凹凸を設けた状態にしておくことが望ましい。なお、表面を目粗しする手法は、例えば薬品を用いた酸処理などの方法を使う事を妨げない。また、排水桝１０の表面に、直接、ポリマーセメントモルタル１５を吹き付ける場合と、排水桝１０に塗装をした上で、その上からポリマーセメントモルタル１５を吹き付ける場合が考えられる。また、図３では排水桝１０の外周面全てにポリマーセメントモルタル１５が塗布されている様子を示しているが，コンクリート接触面部材の外周面部分がポリマーセメントモルタル１５に覆われていれば良い。
【００２０】
第１実施形態の排水桝１０は、上記構成となっているので、以下に説明する作用及び効果を奏する。具体的には、橋梁１００の床版５０の端部に設けられる排水桝１０において、排水桝１０の外周面に、ポリマーセメントモルタル１５を塗布してあるので、床版５０との付着力が向上する。この結果、床版５０と排水桝１０との境界部に隙間ができることを防ぐことが可能となる。
【００２１】
これは、ポリマーセメントモルタル１５が予め排水桝１０の外周面に塗布されていることで、床版５０が施工される際に排水桝１０と床版５０との付着力が向上するためである。通常、橋梁１００の使用時には振動などが発生する事で、排水桝１０と床版５０との境界部に隙間が生じやすい環境になっている。しかしながら、ポリマーセメントモルタル１５を介在させることで、床版５０が排水桝１０に付着し隙間が生じにくくなる。この付着力は橋梁１００の使用時にも継続して効果を発揮することが確認されている。
【００２２】
出願人が実験により確認した結果によれば、ポリマーセメントモルタル１５を施工しない場合、排水桝１０と床版５０の付着強度は約０．３Ｎ／ｍｍ２と低い。しかし、ポリマーセメントモルタル１５を施工した場合には約３．３Ｎ／ｍｍ２以上と大幅に向上していることが確認できた。また、排水桝１０を鋳物性とした場合、ポリマーセメントモルタル１５を施工しないと排水桝１０と床版５０の付着強度は約０．２Ｎ／ｍｍ２であったが、ポリマーセメントモルタル１５を施工すると、排水桝１０と床版５０の付着強度は約２．７Ｎ／ｍｍ２となった。このことにより排水桝１０と床版５０の境界部に隙間が生じ難くなるので、橋梁１００の排水は排水桝１０の内側に誘導され、排水桝１０と床版５０との間に排水が入り込むことを防ぐことができるため、床版５０のコンクリートや排水桝１０付近の図示しない桁の劣化を防止することに繋がる。
【００２３】
そして、排水桝１０の外周面にポリマーセメントモルタル１５を塗布した状態で排水桝１０が作業現場に供給されることで、作業現場にて排水桝１０の付着力を向上させるような施工を行う手間がかからず、品質を維持出来る点でも好ましい。これによって橋梁１００の作業性を向上させた上で、施工時間の短縮にも繋がる点もメリットとして挙げられる。
【００２４】
次に、本発明の第２の実施形態について説明を行う。第２実施形態は第１実施形態とほぼ同じ構成であるが、排水桝１０の材質が異なる。第２実施形態の排水桝の材質にはＦＲＰが用いられており、課題でも指摘した通り、その表面は鋳物や鋼材を用いる場合よりもコンクリートとの付着力が低い場合がある。このため、排水桝１０の周囲に珪砂を吹き付けた後に、更にポリマーセメントモルタル１５を吹き付ける手法により付着力の改善が期待できる。出願人が行った実験により、珪砂の吹き付け及びポリマーセメントモルタル１５を施工しない場合、排水桝１０と床版５０の付着強度は約０．１Ｎ／ｍｍ２であったが、珪砂の吹きつけを施工した場合の付着強度は約０．４Ｎ／ｍｍ２であり、珪砂を吹き付け施工した後にポリマーセメントモルタル１５を施工する場合には、排水桝１０と床版５０の付着強度が１．８Ｎ／ｍｍ２となることを確認している。よって、排水桝１０に珪砂を吹き付けてポリマーセメントモルタル１５を施工することが望ましい。
【００２５】
また、排水桝１０の周囲に珪砂を吹き付けず、ブラスト処理を行うことで外表面に凹凸を設けるか、薬剤処理によって表面を目粗しする事があるが、この場合でもポリマーセメントモルタル１５を施工することで付着力の改善が期待できる。
【００２６】
以上、本発明に係る排水桝１０の実施形態を説明したが、本発明はこれに限定されるわけではなく、その趣旨を逸脱しない範囲で様々な変更が可能である。例えば、排水桝１０の形状は、図１乃至図３に説明しているが、これ以外の形状の排水桝への本発明の適用を妨げるものではない。また、図２に示した橋梁１００の断面図に示すような橋梁１００の構造も、あくまで例示であるので、これ以外の構造の橋梁１００に本発明の排水桝１０を用いる事を妨げない。
【符号の説明】
【００２７】
１０      排水桝
１１      四角枠部
１２      テーパ部
１３      筒状部
２１      導水パイプ
３０      壁高欄
４０      舗装部
４１      表層
４２      基層
４３      床版防水層
４４      導水帯
５０      床版
【図１】
2018119299.tif 000003
【図２】
2018119299.tif 000004
【図３】
2018119299.tif 000005